(57)【要約】　　　（修正有）【課題】濾過装置の内部に濾過槽と殺菌槽とを一体とした殺菌槽に濾材の洗浄した汚泥が絶対に侵入しないようにした濾過装置の汚染防止装置である。【解決手段】濾過槽２の下部に洗浄装置１５を設け、濾材１３より溢流した汚泥を排水用樋１７より外部に排出する排水槽３を設ける。この排水槽に隣接する隔壁１１の高さを排水用樋と同一高さとし、殺菌槽９に隣接する隔壁１２の高さを該排水用樋と同一の先の隔壁の高さより高い寸法に立設したことを特徴としたものである。【選択図】図２
2004058034.tif 000002
【特許請求の範囲】
【請求項１】
濾過装置本体（１）には、濾過槽（２）と複数の隔壁を設けた循環槽と下部より流水する仕切壁（８）を有する殺菌槽（９）を装設した殺菌槽付濾過装置の石英管及び紫外線ランプ等の汚染防止装置において、該濾過槽（２）には、内部の濾材（１３）の下部に洗浄水を送る洗滌装置（１５）を設置し、該濾材（１３）には、上部に排水用樋（１７）を設け、該排水用樋（１７）より溢流する汚染を外部に排出する排水槽（３）を設け、該排水槽（３）に隣接する該隔壁の高さを該排水用樋（１７）と同一高さとすると共に、該殺菌槽（９）に隣接する上部より流水する該隔壁の高さを該排水用樋（１７）と該隔壁より高い寸法の隔壁を立設したことを特徴とした殺菌槽付濾過装置の石英管及び紫外線ランプ等の汚染防止装置。
【発明の詳細な説明】
【０００１】
【産業上の利用分野】
本発明は、濾過装置の内部に濾過槽と殺菌槽と貯水槽とを一体的に構成し、全体を小型化すると共に、設備と掃除を簡略にする殺菌槽付濾過装置の石英管及び紫外線ランプ等の汚染防止装置に関するものである。
【０００２】
【従来の技術】
近年、この種の殺菌装置付の濾過装置においては、取水ポンプによって海水を圧力によって濾過装置に送水され、送水された海水は、殺菌されて貯水槽より取水ポンプによって魚介類の水槽等に給水するものが知られている。然し、これ等の濾過装置を長期間使用すれば、装置内は埃が溜まり汚染されるものである。この時に濾過装置内に設けてある殺菌装置も当然に汚染されるため、掃除が大変に面倒な紫外線ランプ等の掃除及び交換等をしなければならない問題点がある。
【０００３】
【発明が解決しよとうする課題】
従来の技術で述べたものにおいては、殺菌装置が汚染された場合は、紫外線ランプと石英管との破損と交換及び掃除等をしなければならないために、出来るだけ汚染を防止することが必要である。
本発明のものは、この様な殺菌装置の汚染を防止するために大変に面倒で手間の係る交換及び掃除等に影響の濾過槽内の定期的に清掃する濾材の逆洗滌の際に発生する汚物の水位が殺菌装置の槽内に侵入するのを防止する所定の高さの隔壁を立設することによる殺菌槽付濾過装置の石英管及び紫外線ランプ等の汚染防止装置を提供するものである。
【０００４】
【課題を解決するための手段】
上記目的を達成するために、本発明によれば、濾過装置本体には、濾材を有する濾過槽と複数の循環槽と下部より流水する仕切壁を設けた殺菌槽を設ける。前記濾材の下部に洗浄水を送る洗浄装置を設け、該濾材を逆洗によって洗浄する場合は、濾材の溢流する排水用樋の高さの隔壁と、該排水用樋と隔壁の高さより殺菌槽に隣接する隔壁を高く立設し、洗滌の際の溢流した汚染水が該殺菌槽に侵入するのを防止することを目的としたものである。
【０００５】
【実施例】
本発明の実施例を図面について説明すると、濾過装置本体（１）は、濾過槽（２）と複数の上部より流水する隔壁（１１）、（１２）、（１９）を設けて循環槽（５）、（６）、（７）を形成し、該循環槽（７）に隣接して下部より流水する仕切壁（８）を設けて殺菌槽（９）を装設してある。
【０００６】
前記濾過槽（２）には、内部に濾材（１３）を設け、該濾材（１３）の下部に多孔板（１４）を介して洗浄水を送る洗滌装置（１５）を装設し、該洗滌装置（１５）には、洗浄用ポンプ（１６）よりの送水管（２６）を連結してある。
【０００７】
次に、該濾材（１３）には、上部に排水用樋（１７）を設けると共に、該排水用樋（１７）より溢流する汚染物を外部に排出する排水槽（３）を隣接して設けてある。
【０００８】
該排水槽（３）には、隣接する該隔壁（１１）の高さ寸法を該排水用樋（１７）の高さの位置と同一高さに立設してある。
また、該隔壁（１１）と隣接し、該殺菌槽（９）に隣接する上部より流水する該隔壁（１２）の高さを該排水用樋（１７）及び該隔壁（１１）より高い寸法の隔壁（１２）を立設してある。
【０００９】
次に、該排水槽（３）には、下部又は側方に汚染物質等を外部に排出する排水ポンプ（２０）と連通する排水管（２７）を連結してある。
更に、該貯水槽（４）には、濾過装置が運転状況の時に給水するバルブ（２２）を介した給水ポンプ（２４）より給水バルブ（２５）（２５）によって各種の魚介類に処理水として供給するものである。
【００１０】
また、該濾過槽（２）に海水等を供給する。送水管（２６）には、取水ポンプ（２１）よりバルブ（２２）を介在して連結してある。
【００１１】
次に、符号（１８）は、殺菌槽（９）内に設けた石英管、紫外線ランプ（１０）を有する殺菌装置を示し、符号（２９）は、濾過装置本体（１）が運転使用中の安全性の水位を示し、（３０）は、濾過槽（２）の警報水位を示したものである。
【００１２】
【作用】
本発明は、上記の如き構成からなり、図１、図２は、本発明の展開図であって、本発明の汚染防止装置の用法を説明すると、濾材（１３）内に汚泥が積層し、濾過が困難となった場合、先ず、取水ポンプ（２１）を閉弁し、送水管（２６）からの循環水の流水を停止し、洗浄用ポンプ（１６）を開弁して洗滌装置（１５）を作動させて、濾材（１３）を逆流して内部の汚泥を浮上溢出させ、排水用樋（１７）を経て同時に開弁してある排水ポンプ（２０）より外部に排出される。この時、汚泥の一部が隔壁（１１）をオーバーして循環槽（６）に流入するが、次の隔壁（１２）が排水用樋（１７）と該隔壁（１１）より高く立設してあるので、隣接する循環槽（７）及び連通している殺菌槽（９）に侵入することがない。従って、殺菌槽（９）の石英管、紫外線ランプ（１０）等が汚泥によって汚染されることを防止するものである。
【００１３】
次に、本発明の濾過装置を通常の様に使用する場合は、海水等を取水ポンプ（２１）の作動によりバルブ（２２）を経て送水管（２６）により濾過槽（２）の通常の水位（２９）まで注入し、濾過されながら、下降し底部より隣接している循環槽（５）、（６）、…を流水し、高い該隔壁（１２）を越えて仕切壁（８）の下部を通り殺菌層（９）を経て貯水槽（４）に流出し、殺菌された海水は一定水温としてバルブ（２２）を経て取水ポンプ（２４）より給水バルブ（２５）…によって各種の水槽に供給するものである。
【００１４】
【発明の効果】
本発明は、以上説明した如く、濾過装置本体に濾過槽と殺菌槽とを一体に構成した欠点である殺菌装置の故障、破損及び掃除等の手間と面倒が係る諸問題を極力防止できる効果と、濾材の洗滌による汚泥は、高く立設した隔壁によって確実に殺菌槽内に侵入することがない効果がある。そして、殺菌槽に汚泥が侵入しないので内部の石英管、紫外線ランプは汚染されず、長期間に亘って使用できると共に、掃除等によって破損しやすい各ランプを充分に保護できると云う従来にない優れた効果がある。
【図面の簡単な説明】
【図１】本発明の濾過装置本体の展開配置した上面図である。
【図２】同じく本発明の展開した配列循環した工程を示し簡略した縦断側面図である。
【図３】本発明の図１の展開図のＡ−Ａ線の縦断側面図である。
【符号の説明】
１　　　　　濾過装置本体
２　　　　　濾過槽
３　　　　　排水槽
４　　　　　貯水槽
５、６、７　循環槽
８　　　　　仕切壁
９　　　　　殺菌槽
１０　　　　　石英管、紫外線ランプ
１１、１２　　隔壁
１３　　　　　濾材
１４　　　　　多孔板
１５　　　　　洗滌装置
１６　　　　　洗滌用ポンプ
１７　　　　　排水用樋
１８　　　　　殺菌装置
２０　　　　　排水ポンプ
２１　　　　　取水ポンプ
２２　　　　　バルブ
２４　　　　　取水ポンプ
２６　　　　　送水管
２７　　　　　排水管
２９　　　　　水位
３０　　　　　警報水位
【図１】
2004058034.tif 000003
【図２】
2004058034.tif 000004
【図３】
2004058034.tif 000005
【手続補正書】
【提出日】平成14年10月7日(2002.10.7)
【手続補正１】
【補正対象書類名】明細書
【補正対象項目名】全文
【補正方法】変更
【補正の内容】
【発明の詳細な説明】
【特許請求の範囲】
【請求項１】濾過装置本体（１）には、濾過槽（２）と複数の隔壁を設けた循環槽と下部より流水する仕切壁（８）を有する殺菌槽（９）を装設した殺菌槽付濾過装置の石英管及び紫外線ランプ等の汚染防止装置において、該濾過槽（２）には、内部の濾材（１３）の下部に洗浄装置（１５）を設置し、該濾材（１３）には、上部に排水用樋（１７）を設け、該排水用樋（１７）より溢流する汚染を外部に排出する排水槽（３）を設け、該排水槽（３）に隣接する該隔壁の高さを該排水用樋（１７）と同一高さとすると共に、該殺菌槽（９）に隣接する上部より流水する該隔壁の高さを該排水用樋（１７）と該隔壁より高い寸法の隔壁を立設したことを特徴とした殺菌槽付濾過装置の石英管及び紫外線ランプ等の汚染防止装置。
【発明の詳細な説明】
【０００１】
【産業上の利用分野】
本発明は、濾過装置の内部に濾過槽と殺菌槽と貯水槽とを一体的に構成し、全体を小型化すると共に、設備と掃除を簡略にする殺菌槽付濾過装置の石英管及び紫外線ランプ等の汚染防止装置に関するものである。
【０００２】
【従来の技術】
近年、この種の殺菌装置付の濾過装置においては、取水ポンプによって海水を圧力によって濾過装置に送水され、送水された海水は、殺菌されて貯水槽より取水ポンプによって魚介類の水槽等に給水するものが知られている。然し、これ等の濾過装置を長期間使用すれば、装置内は埃が溜まり汚染されるものである。この時に濾過装置内に設けてある殺菌装置も当然に汚染されるため、掃除が大変に面倒な紫外線ランプ等の掃除及び交換等をしなければならない問題点がある。
【０００３】
【発明が解決しよとうする課題】
従来の技術で述べたものにおいては、殺菌装置が汚染された場合は、紫外線ランブと石英管との破損と交換及び掃除等をしなければならないために、出来るだけ汚染を防止することが必要である。
本発明のものは、この様な殺菌装置の汚染を防止するために大変に面倒で手間の係る交換及び掃除等に影響の濾過槽内の定期的に清掃する濾材の逆洗滌の際に発生する汚物の水位が殺菌装置の槽内に侵入するのを防止する所定の高さの隔壁を立設することによる殺菌槽付濾過装置の石英管及び紫外線ランプ等の汚染防止装置を提供するものである。
【０００４】
【課題を解決するための手段】
上記目的を達成するために、本発明によれば、濾過装置本体には、濾材を有する濾過槽と複数の循環槽と下部より流水する仕切壁を設けた殺菌槽を設ける。前記濾材の下部に洗浄装置を設け、該濾材を逆洗によって洗浄する場合は、濾材の溢流する排水用樋の高さの隔壁と、該排水用樋と隔壁の高さより殺菌槽に隣接する隔壁を高く立設し、洗浄の際の溢流した汚染水が該殺菌槽に侵入するのを防止することを目的としたものである。
【０００５】
【実施例】
本発明の実施例を図面について説明すると、濾過装置本体（１）は、濾過槽（２）と複数の上部より流水する隔壁（１１）、（１２）、（１９）を設けて循環槽（５）、（６）、（７）を形成し、該循環槽（７）に隣接して下部より流水する仕切壁（８）を設けて殺菌槽（９）を装設してある。
【０００６】
前記濾過槽（２）には、内部に濾材（１３）を設け、該濾材（１３）の下部に多孔板（１４）を介して洗浄エアーを送る洗滌装置（１５）を装設し、該洗滌装置（１５）には、洗浄用ブロワー（１６）よりの送気管（３３）を連結してある。
【０００７】
次に、該濾材（１３）には、上部に排水用樋（１７）を設けると共に、該排水用樋（１７）より溢流する汚染物を外部に排出する排水槽（３）を隣接して設けてある。
【０００８】
該排水槽（３）には、隣接する該隔壁（１１）の高さ寸法を該排水用樋（１７）の高さの位置と同一高さに立設してある。
また、該隔壁（１１）と隣接し、該殺菌槽（９）に隣接する上部より流水する該隔壁（１２）の高さを該排水用樋（１７）及び該隔壁（１１）より高い寸法の隔壁（１２）を立設してある。
【０００９】
次に、該排水槽（３）には、下部又は側方に汚染物質等を外部に排出する排水バルブ（３１）と連通する排水管（２７）を連結してある。
更に、該貯水槽（４）には、濾過装置が運転状況の時に給水する送水バルブ（２２）を介した給水ポンプ（２４）より給水バルブ（２５）（２５）によって各種の魚介類に処理水として供給するものである。
【００１０】
また、該濾過槽（２）に海水等を供給する。送水管（２６）には、取水ポンプ（２１）より取水バルブ（２０）を介在して連結してある。
【００１１】
次に、符号（１８）は、殺菌槽（９）内に設けた石英管、紫外線ランプ（１０）を有する殺菌装置を示し、符号（２９）は、濾過装置本体（１）が運転使用中の安全性の水位を示し、（３０）は、濾過槽（２）の警報水位を示したものである。
【００１２】
【作用】
本発明は、上記の如き構成からなり、図１、図２は、本発明の展開図であって、本発明の汚染防止装置の用法を説明すると、濾材（１３）内に汚泥が積層し、濾過が困難となった場合、先ず、バルブ（３２）を開弁し、取水バルブ（２０）を閉弁し、送水管（２６）からの流入を停止し、洗浄用ブロワー（１６）を運転して洗浄装置（１５）を作動させ、該バルブ（３２）よりの海水と、該洗浄用ブロワー（１６）とのエアーとで逆流して内部の汚泥を浮上溢出させ、排水用樋（１７）を経て同時に開弁してある排水バルブ（３１）より排水管（２７）を経て外部に排出される。
この時、汚泥の一部が隔壁（１１）をオーバーして循環槽（６）に流入するが、次の隔壁（１２）が排水用樋（１７）と該隔壁（１１）より高く立設してあるので、隣接する循環槽（７）及び連通している殺菌槽（９）に侵入することがない。従って、殺菌槽（９）の石英管、紫外線ランプ（１０）等が汚泥によって汚染されることを防止するものである。
【００１３】
次に、本発明の濾過装置を通常の様に使用する場合は、海水等を取水ポンプ（２１）の作動により取水バルブ（２０）を経て送水管（２６）により濾過槽（２）の通常の水位（２９）まで注入し、濾過されながら、下降し底部より隣接している循環槽（５）、（６）、…を流水し、高い該隔壁（１２）を越えて仕切壁（８）の下部を通り殺菌層（９）を経て貯水槽（４）に流出し、殺菌された海水は送水バルブ（２２）を経て送水ポンプ（２４）より給水バルブ（２５）…によって各種の魚介類に処理水として供給するものである。
【００１４】
【発明の効果】
本発明は、以上説明した如く、濾過装置本体に濾過槽と殺菌槽とを一体に構成した欠点である殺菌装置の故障、破損及び掃除等の手間と面倒が係る諸問題を極力防止できる効果と、濾材の洗浄による汚泥は、高く立設した隔壁によって確実に殺菌槽内に侵入することがない効果がある。そして、殺菌槽に汚泥が侵入しないので内部の石英管、紫外線ランプは汚染されず、長期間に亘って使用できると共に、掃除等によって破損しやすい各ランプを充分に保護できると云う従来にない優れた効果がある。
【図面の簡単な説明】
【図１】本発明の濾過装置本体の展開配置した上面図である。
【図２】同じく本発明の展開した配列循環した工程を示し簡略した縦断側面図である。
【図３】本発明の図１の展開図のＡ−Ａ線の縦断側面図である。
【符号の説明】
１　　　　　　濾過装置本体
２　　　　　　濾過槽
３　　　　　　排水槽
４　　　　　　貯水槽
５、６、７　　循環槽
８　　　　　　仕切壁
９　　　　　　殺菌槽
１０　　　　　石英管、紫外線ランプ
１１、１２　　隔壁
１３　　　　　濾材
１４　　　　　多孔板
１５　　　　　洗浄装置
１６　　　　　洗浄用ブロワー
１７　　　　　排水用樋
１８　　　　　殺菌装置
２０　　　　　取水バルブ
２１　　　　　取水ポンプ
２２　　　　　送水バルブ
２４　　　　　送水ポンプ
２６　　　　　送水管
２７　　　　　排水管
２９　　　　　水位
３０　　　　　警報水位
３１　　　　　排水バルブ
３２　　　　　バルブ
３３　　　　　送気管
【手続補正２】
【補正対象書類名】図面
【補正対象項目名】図２
【補正方法】変更
【補正の内容】
【図２】
2004058034.tif 000006
【手続補正３】
【補正対象書類名】図面
【補正対象項目名】図３
【補正方法】変更
【補正の内容】
【図３】
2004058034.tif 000007